(57)【要約】【課題】  ハンディ型ビデオカメラと箱形レンズとを三脚の上に支持するレンズ支持装置における箱形レンズ着脱時の誤操作により生じる光学マウントの歪みや破損を防止することができるレンズ支持装置を提供することを目的とする。【解決手段】  カメラ支持部１５とレンズ取り付け部１６ａとを備え、カメラ支持部１５にハンディ型ビデオカメラ１１を載せて固定し、かつレンズ取り付け部１６ａに大型レンズ１２を取り付けて光学マウントを連結して、ハンディ型ビデオカメラ１１と大型レンズ１２とを三脚１０上に支持するレンズ支持装置であって、大型レンズ１２を装着する際はレンズ取り付け部１６ａに装着した大型レンズ１２の固定用のクランプ部材１７ｃによるロック操作を優先し、かつ大型レンズ１２を取り外す際はハンディ型ビデオカメラ１１を大型レンズ１２から離す操作を優先する操作順序設定手段１７を備えている。【選択図】      図１
2005148330.tif 000002
【特許請求の範囲】
【請求項１】
カメラ支持部とレンズ取り付け部とを備え、該カメラ支持部にハンディ型ビデオカメラを載せて固定し、かつ該レンズ取り付け部に大型レンズを取り付けて光学マウントを連結して、該ハンディ型ビデオカメラと該大型レンズとを三脚上に支持するレンズ支持装置において、
前記大型レンズを装着する際は前記レンズ取り付け部に装着した該大型レンズの固定用のクランプ部材によるロック操作を優先し、かつ前記大型レンズを取り外す際は前記ハンディ型ビデオカメラを前記大型レンズから離す操作を優先する操作順序設定手段を備えることを特徴とするレンズ支持装置。
【請求項２】
操作順序設定手段は、前記クランプ部材と該クランプ部材の近傍に前記カメラ支持部のスライドに伴って動く付勢用スプリングを備えたストッパとからなり、前記クランプ部材がロック位置にある場合、該ストッパの先端部が該クランプ部材の回動を規制するとともに、前記クランプ部材がロック解除位置にある場合、前記クランプ部材が該ストッパの突出を規制するようにしたことを特徴とする請求項１に記載のレンズ支持装置。
【発明の詳細な説明】
【技術分野】
【０００１】
本発明は、ビデオカメラのレンズ支持装置に関し、特に肩乗せ可能なハンディ型ビデオカメラと箱形レンズとを三脚に支持するためのレンズ支持装置に関するものである。
【背景技術】
【０００２】
周知のように、ニュース取材などで用いられるＥＮＧ（Electronic News Gathering）カ メラ等の肩乗せ可能なハンディ型カメラは、テレビ番組の局外でのロケ用のテレビカメラ、或いは局内でスタジオカメラとして利用する場合、ビデオカメラ本体とＥＦＰ（Electronic Field Production）用の箱形レンズとを三脚に設けられたレンズ支持装置に支持するようにして広い用途に使用されている。
【０００３】
図３（ａ），（ｂ）は、レンズ支持装置を用いてビデオカメラ本体にＥＦＰ用の箱形レンズを支持して使用する場合を示している。図３（ａ）はレンズサポートタイプを示し、図３（ｂ）はビルドアップタイプを示している。
【０００４】
図３（ａ）では、三脚３０上にレンズサポータ３４ａが固定され、レンズサポータ３４ａに設けられたカメラ支持部（カメラマウントプレート）３７ａにビューファインダ３３ａを備えるハンディカメラ本体３１ａが固定され、レンズサポータ３４ａのレンズ取り付け部３８ａの取り付け面に箱形レンズ３２ａが装着される。箱形レンズ３２ａの後端部にはフック３５ａが設けられ、レンズ取り付け部３８ａの取り付け面にフック３５ａが係合するフックが形成され、フック同士を係合することにより箱形レンズ３２ａが装着されている。このようなレンズ装着手段はハンガーマウント方式と呼ばれて広く使用されている。
【０００５】
図３（ｂ）のビルドアップタイプでは、上記レンズサポートタイプと基本的構成は同じである。このタイプは、カメラマンの操作性や機能の拡張性を考慮した構成となっており、ビューファインダ３３ｂを備えるハンディカメラ本体３１ｂがビルドアップタイプサポータ３４ｂに支持されて固定され、ビルドアップタイプサポータ３４ｂのレンズ取り付け部３８ｂの取り付け面に箱形レンズ３２ｂが装着される。ビルドアップタイプサポータ３４ｂの側部や背面には、カメラの操作に必要な各スイッチ類やコネクタ類を設けた操作パネル３９が設けられている。箱形レンズ３２ｂは、ビルドアップタイプサポータ３４ｂのレンズ取り付け部３８ｂに装着される。
【０００６】
このようなレンズ支持装置を用いたハンディ型ビデオカメラでは、レンズ装着の際、フック同士を係合させて箱形レンズをレンズサポートに支持し、さらにクランプ金具（図示せず）を回動操作して固定することにより、箱形レンズ及びハンディカメラ本体の光学マウントに箱形レンズの重量が直接加わるのを防止し、光学マウントの歪みや損傷を防止している。
【０００７】
また、箱型レンズを着脱する場合には、連結部である光学マウントを傷めないように操作の順序が決められている。例えば、箱形レンズを装着する場合には、レンズ支持装置側のクランプ金具のロックによって、先に箱形レンズをレンズ支持装置に固定し、その後、カメラ支持部（カメラマウントプレート）を前方（図３では右側）にスライドさせてカメラ本体を連結位置に寄せ、光学マウントをロックするという手順である。また、箱形レンズを取り外す場合には、前記手順とは逆の順序で行う。（例えば、特許文献１を参照）
【０００８】
【特許文献１】特開平７−２２５４２４号公報（明細書全文，図面全図）
【発明の開示】
【発明が解決しようとする課題】
【０００９】
しかしながら、上記従来例のレンズ支持装置では、光学マウントのロック及び解除操作と、レンズ支持装置側の同操作を、順序を問わずどちらからでも行うことができる。従って、例えば、箱レンズを取り外す場合には、誤って光学マウントのロックを解除しないでレンズ支持装置側の固定用クランプ金具のロックのみを解除してレンズを持ち上げてしまうおそれがあり、光学マウントに力が集中して加わってしまい、光学マウントの結合部分に歪みを生じたり、破損したりしてしまう問題があった。
【００１０】
また、箱形レンズを装着する場合には、レンズ支持装置側のクランプ金具をロックしないで光学マウントのみをロックして使用するような誤った運用方法を採ることもあり、たとえフック同士を係合させているとはいえ、箱形レンズがロックされていないままで使用中に生じる箱形レンズのガタ付きによる力が光学マウントに集中して加わるので、上記同様に光学マウントの結合部分に歪みや損傷、ひいては箱形レンズの落下事故にも至るといった問題もあった。
【００１１】
本発明は、上記のような課題に鑑みなされたものであって、ハンディ型ビデオカメラと箱形レンズとを三脚の上に支持するレンズ支持装置における箱形レンズ着脱時の誤操作により生じる光学マウントの歪みや破損を防止することができるレンズ支持装置を提供することを目的とする。
【課題を解決するための手段】
【００１２】
本発明は、上述した課題を解決したものであり、請求項１の発明は、カメラ支持部とレンズ取り付け部とを備え、該カメラ支持部にハンディ型ビデオカメラを載せて固定し、かつ該レンズ取り付け部に大型レンズを取り付けて光学マウントを連結して、該ハンディ型ビデオカメラと該大型レンズとを三脚上に支持するレンズ支持装置において、前記大型レンズを装着する際は前記レンズ取り付け部に装着した該大型レンズの固定用のクランプ部材によるロック操作を優先し、かつ前記大型レンズを取り外す際は前記ハンディ型ビデオカメラを前記大型レンズから離す操作を優先する操作順序設定手段を備えることを特徴とするレンズ支持装置である。
【００１３】
なお、ハンディ型ビデオカメラと大型レンズとのレンズ支持装置へのセット状態から大型レンズを取り外す際は、ハンディ型ビデオカメラと大型レンズとの連結部である光学マウントのロックを解除した後、ハンディ型ビデオカメラの後方にスライドさせてクランプ部材によるロック状態を解除して大型レンズから切り離す。
【００１４】
また、請求項２の発明は、操作順序設定手段が、前記クランプ部材と該クランプ部材の近傍に前記カメラ支持部のスライドに伴って動く付勢用スプリングを備えたストッパとからなり、前記クランプ部材がロック位置にある場合、該ストッパの先端部が該クランプ部材の回動を規制するとともに、前記クランプ部材がロック解除位置にある場合、前記クランプ部材が該ストッパの突出を規制するようにしたことを特徴とする請求項１に記載のレンズ支持装置である。
【発明の効果】
【００１５】
請求項１の発明によれば、カメラ支持部とレンズ取り付け部とを備え、該カメラ支持部にハンディ型ビデオカメラを載せて固定し、かつ該レンズ取り付け部に大型レンズを取り付けて光学マウントを連結して、該ハンディ型ビデオカメラと該大型レンズとを三脚上に支持するレンズ支持装置であって、前記大型レンズを装着する際は前記レンズ取り付け部に装着した該大型レンズの固定用のクランプ部材によるロック操作を優先し、かつ前記大型レンズを取り外す際は前記ハンディ型ビデオカメラを前記大型レンズから離す操作を優先する操作順序設定手段を備えるレンズ支持装置であるので、レンズ支持装置にハンディ型ビデオカメラと大型レンズとを装着する順序及び取り外し順序が規定されるので、大型レンズのロック操作忘れが解消され、大型レンズのガタ付きによる光学マウントの損傷や大型レンズの重量によって光学マウントの歪みや損傷の発生を解消したり、或いは大型レンズのロック操作忘れなどによる大型レンズの落下を解消することができる効果を有する。
【００１６】
また、請求項２の発明によれば、操作順序設定手段が、前記クランプ部材と該クランプ部材の近傍に前記カメラ支持部のスライドに伴って動く付勢用スプリングを備えたストッパとからなり、前記クランプ部材がロック位置にある場合、該ストッパの先端部が該クランプ部材の回動を規制するとともに、前記クランプ部材がロック解除位置にある場合、前記クランプ部材が該ストッパの突出を規制するようにしたことを特徴とする請求項１に記載のレンズ支持装置であるので、クランプ部材がロック位置にある場合、カメラ支持部をレンズ側に寄せるとストッパがこれに押されてロック解除位置に突き出し、ストッパが引っ込むまでロック解除操作ができないようにすることができる。また、クランプ部材がロック解除の位置にある場合、クランプ部材がストッパの突き出る位置にあり、クランプ部材をロック位置に操作するまでカメラ支持部を大型レンズ側に寄せることができない構成にすることができる。従って、操作順序設定手段により、ハンディ型ビデオカメラと大型レンズとの装着順序と取り外し順序が規定され、確実な着脱操作が可能となる利点がある。
【発明を実施するための最良の形態】
【００１７】
以下、本発明のレンズ支持装置に係る最良の実施の形態について図面を参照して説明する。図１（ａ），図２（ａ）は、本発明の実施形態を示す側面図である。図１（ｂ）はクランプ部材によるロック状態を示す側面図であり、図１（ｃ）はその正面図である。図２（ｂ）はクランプ部材によるロック状態を解除した側面図であり、図２（ｃ）はその正面図である。
【００１８】
図１において、本実施形態のレンズサポータ（レンズ支持装置）１６は、三脚１０上に固定され、レンズサポータ１６の後ろ寄りにカメラマウントプレート（カメラ支持部）１５が設けられ、前寄りにレンズ取り付け部１６ａが夫々設けられている。カメラマウントプレート１５には、ビューファインダ１４を備えたハンディカメラ本体１１が固定され、レンズ取り付け部１６ａにはＥＦＰ用の箱形レンズ１２が固定されている。カメラマウントプレート１５はスライドするように構成され、その下部に下方に突出する突出部１５ａが設けられている。レンズ取り付け部１６ａの下部には操作順序設定機構１７が設けられている。箱形レンズ１２とハンディカメラ本体１１とがレンズサポータ１６に所定の順序で装着されると、レンズ取り付け部１６ａに設けられた開口部を通して、箱形レンズ１２側の光学マウントに設けられたバヨネットマウントとハンディカメラ本体１１側の光学マウント１３とが連結されて撮影可能な状態にセットされる。
【００１９】
本実施形態には、箱形レンズ１２とハンディカメラ本体１１の装着・脱着手順を規定する操作順序設定機構１７が設けられており、操作順序設定機構１７は、レンズ取り付け部１６ａを貫通するストッパ１７ａと、ストッパ１７ａに弾性を付与する付勢用スプリング１７ｂと、クランプ部材１７ｃとで構成されている。クランプ部材１７ｃは、レンズ取り付け部１６ａに回動可能に軸支され、クランプ部材１７ｃを回動させることによって、箱形レンズ１２の後端下部に突出する凸部１８に引っ掛けて箱形レンズ１２をレンズ取り付け部１６ａにロックしたり、ロック状態を解除したりすることが可能である。また、クランプ部材１７ｃのロック状態では、ストッパ１７ａの箱形レンズ１２方向への移動規制が解除され、ハンディカメラ本体１１方向への移動可能となる。また、クランプ部材１７ｃのロック解除状態では、ストッパ１７ａの箱形レンズ１２方向への移動が規制される。
【００２０】
ストッパ１７ａは、レンズ取り付け部１６ａの下部に設けられた貫通穴１９に挿通され、レンズ取り付け部１６ａのカメラ本体側に設けられた付勢用スプリング１７ｂによりカメラ本体側に突出している。ハンディカメラ本体１１をカメラマウントプレート１５に取り付けて、箱形レンズ１２側へスライドさせると、カメラマウントプレート１５の底部に設けた突出部１５ａがストッパ１７ａに当接し、クランプ部材１７ｃがロック位置（垂直位置）にある場合、カメラマウントプレート１５が箱形レンズ１２側へ摺動するように構成されている。また、クランプ部材１７ｃがロック解除位置（水平位置）にある場合、ストッパ１７ａの先端部がクランプ部材１７ｃに当接してカメラマウントプレート１５の箱形レンズ１２側への摺動が規制される。
【００２１】
さらに、本実施形態について、図１（ｂ），（ｃ）を参照して説明する。図１（ｂ），（ｃ）はハンディカメラ本体１１と箱形レンズ１２がレンズ支持装置１６に装着された状態を示している。箱形レンズ１２は、レンズ取り付け部１６ａにハンガーマウント方式によって装着された後、操作順序設定機構１７の摘み部１７ｄを回してクランプ部材１７ｃの先端部を垂直上方に回動して箱形レンズ１２の凸部１８に係合し、箱形レンズ１２をロック状態とする。一方、クランプ部材１７ｃがロック位置にある場合、ストッパ１７ａは摺動規制が解除されて箱形レンズ１２方向に突出可能な状態となる。
【００２２】
クランプ部材１７ｃがロック位置（垂直上方位置）である場合、ハンディカメラ本体１１をカメラマウントプレート１５に装着してレンズ取り付け部１６ａ方向にスライドさせると、カメラマウントプレート１５の突出部１５ａがストッパ１７ａに当接して付勢用スプリング１７ｂを圧縮し、ストッパ１７ａの先端部がレンズ取り付け部１６ａの前方（箱形レンズ１２方向）に突出する。ハンディカメラ本体１１の光学マウント１３が箱形レンズ１２のバヨネットマウントに装着されて互いの光学マウントがロックされる。このように、先に箱形レンズ１２をレンズ取り付け部１６ａに装着してロックすることにより、ハンディカメラ本体１１を取り付けたカメラマウントプレート１５をレンズ取り付け部１６ａ側にスライドさせても互いの光学マウントが当接して損傷することがない。また、箱形レンズ１２がロック状態にある場合、ストッパ１７ａの先端がクランプ部材１７ｃの近傍に突出しており、クランプ部材１７ｃの先端部を下方に回動させようとしてもストッパ１７ａに当接してロックを解除することができない。一方、箱形レンズ１２を装着する前にハンディカメラ本体１１を装着しようとすると、クランプ部材１７ｃが水平位置（ロック解除位置）にあるので、ハンディカメラ本体１１を装着することができない。従って、操作順序設定機構１７を備えることによって、先に箱形レンズ１２を装着した後、ハンディカメラ本体１１を装着する順序が規定される。
【００２３】
図２（ａ）は、本実施形態のハンディカメラ本体１１と箱形レンズ１２とを切り離した状態を示す図であり、同図（ｂ），（ｃ）は、その要部を示している。なお、図２において、図１と同一部分には同一符号が付与され、２０は図１において図示を省略した箱形レンズ１２のバヨネットマウントである。
【００２４】
本実施形態において、箱形レンズ１２をレンズ取り付け部１６ａから取り外す場合、ハンディカメラ本体１１と箱形レンズ１２との連結部である光学マウント１３とバヨネットマウント２０を傷めないようにするために、先ず、光学マウントの連結部のロック状態を解除する。その後、カメラマウントプレート１５を後方にスライドさせてハンディカメラ本体１１の光学マウント１３をバヨネットマウント２０から離す。カメラマウントプレート１５を後方にスライドさせると、圧縮状態の付勢用スプリング１７ｂは伸長してストッパ１７ａがハンディカメラ側に移動して、箱形レンズ１２側に突出していたストッパ１７ａの先端が引っ込み、クランプ部材１７ｃの回動規制が解除されて、クランプ部材１７ｃによる箱形レンズ１２のロック状態を解除できる状態となる。操作順序設定機構１７の摘み部１７ｄを操作してクランプ部材１７ｃの先端部を水平方向に回動して箱形レンズ１２のロック状態を解除し、レンズ取り付け部１６ａから箱形レンズ１２を取り外すことが可能となる。無論、ハンディカメラ本体１１と箱形レンズ１２とがセットされた状態で箱形レンズ１２を取り外すことはクランプ部材１７ｃでロックされており、困難である。
【００２５】
また、図１（ｂ），（ｃ）に示したハンディカメラ本体１１と箱形レンズ１２の装着した状態で、クランプ部材１７ｃを操作して箱形レンズ１２を取り外しをしようとすると、ストッパ１７ａがカメラマウントプレート１５の前端下部の突出部１５ａに押されて、クランプ部材１７ｃの横に突き出しており、クランプ部材１７ｃをロック解除位置（水平位置）に回動操作しようとしても、クランプ部材１７ｃがストッパ１７ａの先端部分に当接してロック解除位置まで回動させることができない。光学マウント１３のロック状態を解除して、カメラマウントプレート１５を後方にスライドさせる操作手順に従わない限り、クランプ部材１７ｃのロック状態を解除することができない。従って、操作順序設定機構１７による操作順序以外の操作手順ではハンディカメラ本体１１又は箱形レンズ１２を取り外しや装着を行うことができないので、箱形レンズ１２の取り付け不良などによるガタ付きにより、箱形レンズ１２の重量が光学マウントに加わって歪みが生じたり、損傷したりすることがないし、また、箱形レンズ１２の落下事故などを解消することができる。
【産業上の利用可能性】
【００２６】
本発明は、ハンディ型カメラ本体に対してレンズ部が非常に重くバランスが悪い場合に効果的であり、ハンディ型テレビカメラを局外でのロケ用のテレビカメラとして利用できることはもちろんスタジオカメラとしても利用することができる。
【図面の簡単な説明】
【００２７】
【図１】（ａ）は、本発明に係るレンズ支持装置にハンディ型ビデオカメラと箱形レンズとを装着した実施形態を示す図、（ｂ）は要部断面図、（ｃ）はその正面図である。
【図２】（ａ）は、本発明に係るレンズ支持装置にハンディ型ビデオカメラと箱形レンズとを切り離した状態を示す図、（ｂ）は要部断面図、（ｃ）はその正面図である。
【図３】（ａ）は、従来のハンディ型ビデオカメラと箱形レンズとを装着したレンズ支持装置を示す側面図、（ｂ）は他の従来例を示す側面図である。
【符号の説明】
【００２８】
１０  三脚
１１  ハンディカメラ本体
１２  箱形レンズ（大型レンズ）
１３  光学マウント
１４  ビューファインダ
１５  カメラマウントプレート（カメラ支持部）
１５ａ  突出部
１６  レンズサポータ（レンズ支持装置）
１６ａ  レンズ取り付け部
１７  操作順序設定機構（操作順序設定手段）
１７ａ  ストッパ
１７ｂ  付勢用スプリング
１７ｃ  クランプ部材
１８  凸部
１９  貫通穴
２０  バヨネットマウント
【図１】
2005148330.tif 000003
【図２】
2005148330.tif 000004
【図３】
2005148330.tif 000005